(57)【要約】【課題】駅舎等の水平梁に鳩等の鳥類が住み着いて害を生じるのを、迅速かつ簡単に防止装置を取り付けて防止することにある。【解決手段】鳩等の鳥類による糞害等が生じて困る駅舎の水平梁等のＨ型鋼等のチャンネル材５の両側端部に細い線材４を張設する鳥害防止の線材張設金具２を取り付け、上記両側の鳥害防止の線材張設金具２間に鳩等が侵入できないように細い線材４を一定間隔で水平状に架設し、上記線材張設金具２に線材張設用の線材支持具１１を設けて線材を所定の張度に張設するように配設している。【選択図】        図１
2004357511.tif 000002
【特許請求の範囲】
【請求項１】
鳩等の鳥類による糞害等が生じて困る駅舎の水平梁等のＨ型鋼等のチャンネル材の両側端部に細い線材を張設する鳥害防止の線材張設金具を取り付け、上記両側の鳥害防止の線材張設金具間に鳩等が侵入できないように細い線材を一定間隔で水平状に架設し、上記線材張設金具に線材張設用の線材支持具を設けて線材を所定の張度に張設するように配設したことを特徴とした駅舎等の鳥害防止装置。
【請求項２】
鳥害防止の線材張設金具の両端部にＨ型鋼のフランジに係止するための係止具をそれぞれ配設し、Ｕ字状の線材張設調整金具の一端を線材張設金具に取着するとともにその他端を線材支持具に取着して線材の張り具合を調整可能とした請求項１に記載の駅舎等の鳥害防止装置。
【請求項３】
線材を０．５〜１ｍｍのステンレス鋼線とし、両側の線材張設金具の中間に線材中間支持金具を配設した請求項１または２に記載の駅舎等の鳥害防止装置。
【発明の詳細な説明】
【０００１】
【発明が属する技術分野】
本発明は、鳥害防止分野の駅舎等の鳥害防止装置に関するものである。
【０００２】
【従来の技術】
電車等の交通機関の駅舎に鳩等の鳥類が住み着くようになり、これらの鳩等の鳥類が駅舎の屋根支持用の水平梁等に止まり、糞をして駅舎の器具、設備、その下の床面を汚損して美感を害し、また乗降人にも直接糞が当たることもあり、関係者らはその対策に憂慮している。
【０００３】
【先行技術文献】
そこで出願人は、鳥類による鳥害防止手段について、先行特許調査を行った。その結果、実開平０３−１１２２７７号公報、実登録３０６３３２８号公報、実登録３０４８４３８号公報、特開平１１−２５３０９０号公報、特開平０７−２９８８２３号公報など多数検出された。
【０００４】
このような鳥類の糞害等を防止するために、実開平０３−１１２２７７号公報は被害保護装置に針を剱山状に設けるものであるが、剱山状に設けるのは、塵埃がたまりやすくて美感を損なうことになる。
【０００５】
また、実登録３０６３３２８号公報は、ネットで覆うもので、ネットで覆うのに手間がかかるうえに駅舎の美感を損なうものであり、またネットに鳩等がとまって糞をすると掃除がしにくくなって困るものであった。
【０００６】
また、実登録３０４８４３８号公報は、鳥の方向感覚を狂わせるように磁石を取り付けるものであるが、このように電撃装置や磁石を配設しても、鳩等は学習能力をもっていて次第に住み着くようになって効果がなくなるものであった。
【０００７】
またさらに、特開平１１−２５３０９０号公報は、ベランダ建築物に所定間隔をあけて細いワイヤーや線材を張設するものであるが、ターンバックルでワイヤーを引っ張ったり、取り付け台の間に線材を着脱可能に係止しているもので、張力調整に手間がかかったり、コストが高くなり、また汚損部分を清掃するために着脱するのに手間がかかるものであった。
【０００８】
【発明が解決しようとする課題】
また、特開平０７−２９８８２３号公報には、水平状に片持梁状に柔軟性を有する樹脂材等を並設し、大面積に、短時間で施工する鳥類飛来防止具が提案されているが、樹脂材が太くて鳩等が止まりやすく、実効性のある、短時間で施工できるものが要望されていた。
【０００９】
【課題を解決するための手段】
本発明は、上記のような点に鑑みたもので、上記の課題を解決するために、鳩等の鳥類による糞害等が生じて困る駅舎の水平梁等のＨ型鋼等のチャンネル材の両側端部に細い線材を張設する鳥害防止の線材張設金具を取り付け、上記両側の鳥害防止の線材張設金具間に鳩等が侵入できないように細い線材を一定間隔で水平状に架設し、上記線材張設金具に線材張設用の線材支持具を設けて線材を所定の張度に張設するように配設したことを特徴とした駅舎等の鳥害防止装置を提供するものである。
【００１０】
【発明の実施の形態】
本発明の駅舎等の鳥害防止装置は、鳩等の鳥類による糞害等が生じて困る駅舎の水平梁等のＨ型鋼等のチャンネル材の両側端部に細い線材を張設する鳥害防止の線材張設金具を取り付け、上記両側の鳥害防止の線材張設金具間に鳩等が侵入できないように細い線材を一定間隔で水平状に架設し、上記線材張設金具に線材張設用の線材支持具を設けて線材を所定の張度に張設するように配設したことを特徴としている。
【００１１】
駅舎等の鳥害防止装置１は、図１、図２のように鳥害防止用の線材張設金具２の上段部３に０．５〜１ｍｍ径のステンレス鋼等の線材４の一端部を５０ｍｍ以下の間隔Ｄでそれぞれ取り付けて、電車等の駅舎の屋根支持用の水平梁のＨ型鋼のチャンネル材５の両側に着脱可能に固着し、チャンネル材５の凹部間に線材４を張設して、できるだけ美感を損なわずに体裁よく鳩鳥等の鳥類が住みついたり、侵入するのを防止できるようにしている。
【００１２】
線材４は、図３、図４のようにその端部を線材張設金具２の上段部３の突設部７に巻き付けるとともに押え材８を介してボルトの締付具９で固着するようにし、線材張設金具２に一端を固着したほぼＵ字状ボルトの線材張設調整金具１０の他端に固着した断面ほぼＬ字状の線材支持具１１にそれぞれ支持するようにして、両側の線材張設金具２間に張設する線材４の張り具合を調整して線材４が弛んで撓むのを防止するようにしている。
【００１３】
そしてまた、このように形成した線材張設金具２の下段部１２の両側端部には、長孔等の係止孔１３に係止具１４を位置調整可能に取り付け、この係止具１４の側部にボルト等の固定具１５を締め付け自在に配設し、図１、図２のように線材張設金具１を駅舎の水平梁のＨ型鋼等のチャンネル材５の両側端部のフランジ内面にそれぞれ固定具１５で押し付けて容易かつ迅速に取り付けられるようにしている。
【００１４】
上記線材４は、弾力性を有して錆びないステンレス鋼線等の鋼線を使用するのが好ましいもので、その径としては細い方が突設部７に巻き付けやすくて好ましいが、０．５ｍｍより細いと折損しやすくて好ましくなく、１ｍｍよりも太いと巻き付けにくく、かつ鳩等の鳥類が線材４の上に止まりやすくなって好ましくなく、０．５〜１ｍｍ径位が適当である。
【００１５】
また、上記線材４の設置間隔としては、３５〜５０ｍｍが好ましく、３５ｍｍより狭いと鳥が２本の線材４に足を掛けて止まりやすくするので好ましくなく、５０ｍｍより広くすると鳥が侵入しやすくなって好ましくない。
【００１６】
上記鳥害防止装置１の線材張設金具２は、設置するチャンネル材５の長さに対応してその両側端部にそれぞれ設置して上記したように線材４を張設できるものであり、線材４が弛んで撓む場合等には必要によりその中間部に図１、図２のように線材中間支持金具１６を設置するのが好ましい。
【００１７】
線材中間支持金具１６は、図５、図６のように上記した線材張設金具２の前後の段落をなくし、両側端部に段落部１７を設けて、線材張設金具２と同様にチャンネル材５に装着するようにしたものである。
【００１８】
上記では、線材張設調整金具をＵボルトの簡単な手段で支持したが、他の代替手段も可能で、本発明の趣旨にもとづいて適宜な他の変形態様を実施することができる。
【００１９】
【実施例】
図１以下は、本発明の一実施例を示すものである。鳥害防止装置１は、図１、図２のように駅舎の上部の水平梁のＨ型鋼のチャンネル材５の両端部に線材張設金具２を上下方向に向けて上下のフランジ端部に当接し、両側の係止具１４の位置を調整して締付具１８で固定し、固定具１５をフランジの内面に押し当てて固定具１５を締め付ける。
【００２０】
そして、両端部の図３、図４に示した２．３ｍｍ厚さの線材張設金具２に０．５ｍｍ径のステンレス鋼線の線材４を３５ｍｍ間隔で７本、その端部を突設部７に巻き付け、押え材８の下にそれぞれ挿入して締付具９で締め付けて張設する。線材４は細くても突設部７に巻き付けるので、容易に張設することができる。
【００２１】
上記した線材４は、線材支持具１１を介してＵボルトの線材張設調整金具１０の締め付け量の加減によって上記した線材４を弛んで撓まないように引っ張り状態を調整し、奇麗に平行に並べて張設するものである。必要により、その中間に線材中間支持金具１６を配設することができる。
【００２２】
このようにして図１、図２のように鳥害防止装置１を取り付けることによって、鳩等がチャンネル材５に侵入して住み着くのを防止することができるとともに、駅舎の美感をできるだけ損なわないようにできる。
【００２３】
上記では、鳥害防止装置を駅舎の上部の水平梁に配設したが、他の構築物にも適用できるとともに、被害保護装置と同一色等として環境に対応させるなど、本発明の趣旨の範囲で適宜の変形態様を実施することができるものである。
【００２４】
【発明の効果】
以上のように本発明にあっては、駅舎等の水平梁のチャンネル材に鳥害防止装置を迅速かつ簡単に取り付けられ、鳩等の鳥類が住み着くのを防止でき、糞をしてこれらの器具、設備、その下の床面を汚損して美感を害し、また乗降人にも直接糞が当たるのを防ぐことができる。特に、チャンネル材の両側端部に線材張設金具を取り付けて、その間に細い線材を張設するので、駅舎等の美感を損なわなく、施工することができるものである。
【００２５】
そして、鳥害防止の線材張設金具の両端部にＨ型鋼のフランジに係止するための係止具をそれぞれ配設し、Ｕ字状の線材張設調整金具の一端を線材張設金具に取着するとともにその他端を線材支持具に取着して線材の張り具合を調整可能とすることによって、チャンネル材間に迅速かつ簡単に取り付けられ、乗降の妨げになることなく設置することができるとともに、線材を弛んで撓むことなく張設することができる。
【００２６】
また、線材を０．５〜１ｍｍのステンレス鋼線とし、両側の線材張設金具の中間に線材中間支持金具を配設することによって、細材が細くて遠くから見えにくく、駅舎等の美感を損なわなく施工することができるとともに、チャンネルが長くても線材中間支持金具で線材の張り具合を調整できるものである。
【図面の簡単な説明】
【図１】本発明の一実施例の一部省略した装置の取り付け説明用正面図、
【図２】同上の平断面図、
【図３】同上の線材張設金具の正面図、
【図４】同上の平面図、
【図５】同上の線材中間支持金具の正面図、
【図６】同上の平面図。
【符号の説明】
１…鳥害防止装置        ２…線材張設金具          ４…線材
５…チャンネル材      １０…線材張設調整具      １１…線材支持具
１４…係止具            １５…固定具
【図１】
2004357511.tif 000003
【図２】
2004357511.tif 000004
【図３】
2004357511.tif 000005
【図４】
2004357511.tif 000006
【図５】
2004357511.tif 000007
【図６】
2004357511.tif 000008